【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
損失性導電媒体（２０３）の上に持ち上げられた帯電端子（Ｔ１）と、
前記帯電端子と前記損失性導電媒体との間を結合された受信器ネットワークであって、前記帯電端子の近傍にある前記損失性導電媒体の特性に少なくとも部分的に基づくウェーブチルト角（Ψ）であって誘導表面波に関連付けられたウェーブチルト角（Ψ）と合致する位相遅延（Φ）を有する、受信器ネットワークと、
コンパス（４１１）と、
プロセッサ（４１３）と、
メモリ（４１６）と、
前記メモリに記憶され、前記プロセッサによって実行可能なアプリケーション（４２３）であって、前記プロセッサによって実行されるとき、システムに、少なくとも、
誘導表面波受信構造（ＲＭ）を用いて誘導表面波を受信すること（７０３）と、
前記誘導表面波受信構造を用いて前記誘導表面波の反射を受信すること（７０６）と、
前記誘導表面波の受信と前記誘導表面波の反射の受信との間の経過時間を計算すること（７０９）と、
前記誘導表面波の波面（６０３）と地球の極軸（６０６）との間の角度（θ）を測定すること（７１６）と、
前記誘導表面波の前記波面と地球の極軸との間の前記角度及び
前記誘導表面波の受信と前記誘導表面波の反射の受信との間の前記経過時間に少なくとも部分的に基づいて前記誘導表面波受信構造の位置を判定すること（７２３）と、のアクションを実行させるアプリケーションと、を備える、システム。
【請求項２】
前記アプリケーションは、前記プロセッサによって実行されるとき、前記システムに、前記誘導表面波受信構造の位置での伏角の値を少なくとも更に測定させ、
前記システムに前記誘導表面波受信構造の前記位置を判定させることは、前記伏角の前記値に更に少なくとも部分的に基づくものである、請求項１に記載のシステム。
【請求項３】
前記アプリケーションは、前記プロセッサによって実行されるとき、前記システムに、前記誘導表面波受信構造の範囲内の無線伝送タワーの識別情報に少なくとも部分的に基づいて、少なくとも、前記誘導表面波受信構造の大体の位置を更に識別させ、
前記システムに前記誘導表面波受信構造の前記位置を判定させることは、前記誘導表面波受信構造の前記大体の位置に更に少なくとも部分的に基づくものである、請求項１又は２に記載のシステム。
【請求項４】
前記アプリケーションは、前記プロセッサによって実行されるとき、前記システムに、前記誘導表面波受信構造の範囲内のセルラーネットワークタワーの識別情報に少なくとも部分的に基づいて、少なくとも、前記誘導表面波受信構造の大体の位置を更に識別させ、
前記システムに前記誘導表面波受信構造の前記位置を判定させることは、前記誘導表面波受信構造の前記大体の位置に更に少なくとも部分的に基づくものである、請求項１又は２に記載のシステム。
【請求項５】
前記アプリケーションは、前記プロセッサによって実行されるとき、少なくとも、前記システムに、前記システムのメモリに記憶され、かつ前記システムに関連付けられた慣性データに少なくとも部分的に基づいて、前記システムの大体の位置を更に識別させ、
前記システムに前記誘導表面波受信構造の前記位置を判定させることは、前記システムの前記大体の位置に更に少なくとも部分的に基づくものである、請求項１又は２に記載のシステム。
【請求項６】
前記システムに前記システムの位置を判定させることが前記誘導表面波の受信と前記誘導表面波の反射の受信との間の前記経過時間に少なくとも部分的に基づくものであることは、前記プロセッサに、少なくとも、
前記時間を二分割させ、半分の時間を生成させることと、
前記半分の時間に前記誘導表面波の速度を掛けて、前記誘導表面波に関連付けられたプローブの対蹠地と前記受信器ネットワークとの間の距離を生成させることと、
前記対蹠地と前記誘導表面波受信構造との間の前記距離を地球の円周の半分に等しい値から引いて、前記誘導表面波に関連付けられた前記プローブと前記受信器ネットワークとの間の距離を生成させることと、
前記システムの前記位置を、前記プローブを中心とする、前記プローブと前記システムとの間の前記距離に等しい半径を有する円の周に沿って設定させることと、を更に含む、請求項１に記載のシステム。
【請求項７】
前記システムに前記システムの位置を判定させることが前記誘導表面波の受信と前記誘導表面波の反射の受信との間の前記経過時間に少なくとも部分的に基づくものであることは、前記プロセッサに、少なくとも、
前記時間を二分割させ、半分の時間を生成させることと、
前記半分の時間に前記誘導表面波の速度を掛けて、前記誘導表面波に関連付けられたプローブの対蹠地と前記受信器ネットワークとの間の距離を生成させることと、
前記システムの前記位置を、前記対蹠地を中心とする、前記対蹠地と前記システムとの間の前記距離に等しい半径を有する円の周に沿って設定させることと、を更に含む、請求項１に記載のシステム。
【請求項８】
誘導表面波受信構造（ＲＭ）を用いて誘導表面波を受信すること（７０３）と、
前記誘導表面波受信構造を用いて前記誘導表面波の反射を受信すること（７０６）と、
前記誘導表面波の受信と前記誘導表面波の反射の受信との間の経過時間を計算すること（７０９）と、
前記誘導表面波の波面（６０３）と地球の極軸（６０６）との間の角度（θ）を測定すること（７１６）と、
前記誘導表面波の前記波面と地球の前記極軸との間の前記角度及び
前記誘導表面波の受信と前記誘導表面波の反射の受信との間の前記経過時間に少なくとも部分的に基づいて前記誘導表面波受信構造の位置を判定すること（７２３）と、を含む、方法。
【請求項９】
前記誘導表面波受信構造の前記位置での伏角の値を測定することを更に含み、
前記誘導表面波受信構造の前記位置を判定することは、前記伏角の前記値に更に少なくとも部分的に基づくものである、請求項８に記載の方法。
【請求項１０】
前記誘導表面波受信構造の範囲内のセルラーネットワークタワーの識別情報に少なくとも部分的に基づいて、前記誘導表面波受信構造の大体の位置を識別することを更に含み、
前記誘導表面波受信構造の前記位置を判定することは、前記誘導表面波受信構造の前記大体の位置に更に少なくとも部分的に基づくものである、請求項８又は９に記載の方法。
【請求項１１】
前記誘導表面波受信構造の範囲内の無線伝送タワーの識別情報に少なくとも部分的に基づいて、前記誘導表面波受信構造の大体の位置を識別することを更に含み、
前記誘導表面波受信構造の前記位置を判定することは、前記誘導表面波受信構造の前記大体の位置に更に少なくとも部分的に基づくものである、請求項８に記載の方法。
【請求項１２】
前記誘導表面波受信構造に関連付けられた慣性データに少なくとも部分的に基づいて、前記誘導表面波受信構造の大体の位置を識別することを更に含み、
前記誘導表面波受信構造の前記位置を判定することは、前記誘導表面波受信構造の前記大体の位置に更に少なくとも部分的に基づくものである、請求項８又は９に記載の方法。
【請求項１３】
前記誘導表面波の受信と前記誘導表面波の反射の受信との間の前記経過時間に少なくとも部分的に基づいて前記誘導表面波受信構造の前記位置を判定することは、
前記時間を二分割し、半分の時間を生成することと、
前記半分の時間に前記誘導表面波の速度を掛けて、前記誘導表面波に関連付けられたプローブの対蹠地と前記誘導表面波受信構造との間の距離を生成することと、
前記対蹠地と前記誘導表面波受信構造との間の前記距離を地球の円周の半分に等しい値から引いて、前記誘導表面波に関連付けられた前記プローブと前記誘導表面波受信構造との間の距離を生成することと、
前記誘導表面波受信構造の前記位置を、前記プローブを中心とする、前記プローブと前記誘導表面波受信構造との間の前記距離に等しい半径を有する円の周に沿って設定することと、を更に含む、請求項８に記載の方法。
【請求項１４】
前記誘導表面波の受信と前記誘導表面波の反射の受信との間の前記経過時間に少なくとも部分的に基づいて前記誘導表面波受信構造の位置を判定することは、
前記時間を二分割し、半分の時間を生成することと、
前記半分の時間に前記誘導表面波の速度を掛けて、前記誘導表面波に関連付けられたプローブの対蹠地と前記誘導表面波受信構造との間の距離を生成することと、
前記誘導表面波受信構造の前記位置を、前記対蹠地を中心とする、前記対蹠地と前記誘導表面波受信構造との間の前記距離に等しい半径を有する円の周に沿って設定することと、を更に含む、請求項８に記載の方法。
【請求項１５】
前記誘導表面波受信構造は、
損失性導電媒体の上に持ち上げられた帯電端子と、
前記帯電端子と前記損失性導電媒体との間を結合された受信器ネットワークであって、前記帯電端子の近傍にある前記損失性導電媒体の特性に少なくとも部分的に基づくウェーブチルト角（Ψ）であって前記誘導表面波に関連付けられたウェーブチルト角（Ψ）と合致する位相遅延（Φ）を有する、受信器ネットワークと、を含む、請求項８〜１４のいずれか一項に記載の方法。